(57)【要約】【課題】正面パネル２と奥行パネル４の左右幅の設計寸法が規定寸法以外のものであっても、規定寸法のパネルを用いて組立てる。【解決手段】規定寸法の正面パネル２と奥行パネル４を設計寸法に合わせて切断したものを用いると共に、切断した正面パネル２、奥行パネル４の縦材２ａ、４ａがある側を、吊元側のように強度が必要な側に配するようにしてトイレブース１を組立てる。【選択図】図３
2018003389.tif 000002
【特許請求の範囲】
【請求項１】
正面パネルとドアパネルと奥行パネルとで構成されるトイレブースであって、正面パネル、奥行パネルについては、左右両端部に縦材が組込まれ、上下方向に適宜間隔を存して複数の横材が組込まれるようにして予め規定寸法で製造されたものを用いて組立てられたトイレブースにおいて、トイレブースの左右幅の設計寸法が規定寸法に合わない場合、正面パネル、奥行パネルの左右何れか一端側をトイレブースの設計寸法に合わせて切断したものが組込まれていることを特徴とするトイレブース。
【請求項２】
正面パネル、奥行パネルが前記切断されたものである場合に、縦材が組込まれる側がトイレブースにおいて強度が要求される側に位置するよう組込まれていることを特徴とする請求項１記載のトイレブース。
【請求項３】
正面パネルが前記切断されたものである場合に、正面パネルの縦材がある側がドアパネルの吊元側になるように組込まれていることを特徴とする請求項１または２記載のトイレブース。
【請求項４】
奥行パネルが前記切断されたものである場合に、奥行パネルの縦材がある側が正面パネルとの連結側になるように組込まれていることを特徴とする請求項１乃至３の何れか１記載のトイレブース。
【請求項５】
正面パネルが前記切断されたものである場合に、該切断された側に設けられるエッジ材は、横材にビスを介して固定されることを特徴とする請求項１乃至４の何れか１記載のトイレブース。
【請求項６】
正面パネル、奥行パネルが前記切断されたものである場合に、正面パネル、奥行パネルの縦材がない側がトイレ室内の壁側に連結されることを特徴とする請求項１乃至５の何れか１記載のトイレブース。
【請求項７】
正面パネルとドアパネルと奥行パネルとで構成されるトイレブースであって、正面パネル、奥行パネルについては、左右両端部に縦材が組込まれ、上下方向に適宜間隔を存して複数の横材が組込まれるようにして予め規定寸法で製造されたものを用いてトイレブースを組込むにあたり、トイレブースの左右幅の設計寸法が規定寸法に合わない場合、正面パネル、奥行パネルの左右何れか一端側をトイレブースの設計寸法に合わせて切断した後、組込むようにしたことを特徴とするトイレブースの組立て方法。
【請求項８】
正面パネルが前記切断されたものである場合に、該切断された側の横材にビスを介してエッジ材を固定した後、組込むようにしたことを特徴とする請求項７記載のトイレブースの組立て方法。
【請求項９】
正面パネル、奥行パネルが前記切断されたものである場合に、縦材が組込まれる側がトイレブースにおいて強度が要求される側に位置するよう左右位置合わせをした後、組込むようにしたことを特徴とする請求項７または８記載のトイレブースの組立て方法。
【発明の詳細な説明】
【技術分野】
【０００１】
本発明は、学校や駅、病院等の建造物に建て付けられるトイレブースおよびトイレブースの組立て方法の技術分野に関するものである。
【背景技術】
【０００２】
一般に、学校や駅、病院等の建造物に建て付けられるトイレブースは、正面（前面）パネル、ドアパネル、奥行パネルを組立てることで構成されている。この場合に、ドアパネルについては、吊元側にヒンジを設ける一方、戸先側には錠を設けたりするためそれなりの強度が必要であると共に、人の出入りを阻害しないようにするため左右両端部に縦材が設けられた定寸法のものが用いられる。これに対し、正面パネル、奥行パネルの左右幅の寸法については、現場に合わせて種々のものが採用される。このように現場に合わせた種々の寸法の正面パネルや奥行パネルをいちいち工場で製造しなければならないうえ、これらをストックしておくことは事実上困難であり、そこで予め定められた規定寸法のパネル体を作成し、これを現場の設計寸法に合わせて左右一端側を切断したものを採用することが提唱される（例えば特許文献１参照。）。
【先行技術文献】
【特許文献】
【０００３】
【特許文献１】特開平８−３５２７２号公報
【発明の概要】
【発明が解決しようとする課題】
【０００４】
ところでこのようなパネル体は、左右両端縁に縦材を配して強度アップを図っているが、左右一端側を切断した場合、該切断側は縦材がないパネル体となって強度的に弱く、このようなパネル体をどのように組み込んでトイレブースを構成するかという点で問題があり、ここに本発明の解決すべき課題がある。
【課題を解決するための手段】
【０００５】
本発明は、上記の如き実情に鑑みこれらの課題を解決することを目的として創作されたものであって、請求項１の発明は、正面パネルとドアパネルと奥行パネルとで構成されるトイレブースであって、正面パネル、奥行パネルについては、左右両端部に縦材が組込まれ、上下方向に適宜間隔を存して複数の横材が組込まれるようにして予め規定寸法で製造されたものを用いて組立てられたトイレブースにおいて、トイレブースの左右幅の設計寸法が規定寸法に合わない場合、正面パネル、奥行パネルの左右何れか一端側をトイレブースの設計寸法に合わせて切断したものが組込まれていることを特徴とするトイレブースである。
請求項２の発明は、正面パネル、奥行パネルが前記切断されたものである場合に、縦材が組込まれる側がトイレブースにおいて強度が要求される側に位置するよう組込まれていることを特徴とする請求項１記載のトイレブースである。
請求項３の発明は、正面パネルが前記切断されたものである場合に、正面パネルの縦材がある側がドアパネルの吊元側になるように組込まれていることを特徴とする請求項１または２記載のトイレブースである。
請求項４の発明は、奥行パネルが前記切断されたものである場合に、奥行パネルの縦材がある側が正面パネルとの連結側になるように組込まれていることを特徴とする請求項１乃至３の何れか１記載のトイレブースである。
請求項５の発明は、正面パネルが前記切断されたものである場合に、該切断された側に設けられるエッジ材は、横材にビスを介して固定されることを特徴とする請求項１乃至４の何れか１記載のトイレブースである。
請求項６の発明は、正面パネル、奥行パネルが前記切断されたものである場合に、正面パネル、奥行パネルの縦材がない側がトイレ室内の壁側に連結されることを特徴とする請求項１乃至５の何れか１記載のトイレブースである。
請求項７の発明は、正面パネルとドアパネルと奥行パネルとで構成されるトイレブースであって、正面パネル、奥行パネルについては、左右両端部に縦材が組込まれ、上下方向に適宜間隔を存して複数の横材が組込まれるようにして予め規定寸法で製造されたものを用いてトイレブースを組込むにあたり、トイレブースの左右幅の設計寸法が規定寸法に合わない場合、正面パネル、奥行パネルの左右何れか一端側をトイレブースの設計寸法に合わせて切断した後、組込むようにしたことを特徴とするトイレブースの組立て方法である。
請求項８の発明は、正面パネルが前記切断されたものである場合に、該切断された側の横材にビスを介してエッジ材を固定した後、組込むようにしたことを特徴とする請求項７記載のトイレブースの組立て方法である。
請求項９の発明は、正面パネル、奥行パネルが前記切断されたものである場合に、縦材が組込まれる側がトイレブースにおいて強度が要求される側に位置するよう左右位置合わせをした後、組込むようにしたことを特徴とする請求項７または８記載のトイレブースの組立て方法である。
【発明の効果】
【０００６】
請求項１、７の発明とすることにより、規定寸法で製造された正面パネル、奥行パネルが、トイレブースの設計寸法と合わなかった場合に、これらパネルを設計変更に合わせて切断することで使用することができることになって、いちいち設計変更のトイレブース用パネルを製造する必要がなく、生産性が向上する。
請求項２、９の発明とすることにより、切断されないで縦材が残っている側を強度が要求される側として使用できることになって切断したにもかかわらず強度の低下を低減できることになる。
請求項３の発明とすることにより、正面パネルの切断されない側を強度が要求される吊元側として使用できることになる。
請求項４の発明とすることにより、奥行パネルの切断されない側が正面パネルに連結される側として使用されるため、正面パネル側の連結部位が縦材のない位置であっても強度維持を図ることができる。
請求項５、８の発明とすることにより、切断された側にエッジ材を取付ける場合に、横材を利用してエッジ材の取付けができるから、切断された側においても強固なエッジ材の取付けができる。
請求項６の発明とすることにより、切断された側がトイレブースの壁に連結されるため、切断された側に縦材がなくても強度維持が図れることになる。
【図面の簡単な説明】
【０００７】
【図１】トイレブースの正面図である
【図２】トイレブースの平面図である。
【図３】トイレブースのコーナーパネル部位側半部の水平断面図である。
【図４】トイレブースの端パネル側半部の水平断面図である。
【図５】（Ａ）（Ｂ）は正面パネルの正面断面図、縦断面図である。
【図６】（Ａ）（Ｂ）は正面パネルの正面図、切断した状態の正面図である。
【図７】（Ａ）（Ｂ）は奥行パネルの正面図、切断した状態の正面図である。
【発明を実施するための形態】
【０００８】
以下、本発明の実施の形態について、図面に基づいて説明する。図面において、１はトイレブースであって、該トイレブース１は正面パネル２、ドアパネル３、奥行パネル４の３種類のパネル体から構成されている。さらに正面パネル２は、Ｔ字パネル５、端パネル６、コーナーパネル７があるが、本実施の形態では、これら正面パネル２（５、６、７）並びに奥行パネル４は、予め設定された規定寸法のものとして製造され、これらを各現場での設計寸法に基づいて、左右方向一端側を切断したもので組立てられており、これについて以降詳述する。
【０００９】
まず正面パネル２は、横幅の規定寸法として、例えば３００、４００、６００、９００ｍｍのものを製造しておくが、正面パネル２には、左右縦材２ａと、上下方向に適宜間隔を存して設けられる横材２ｂとで梯子状に枠組みされ、その表裏面をメラミン化粧板等からなる面板２ｃで覆蓋され、さらに縦材２ａ、横材２ｂとのあいだの空間にはハニカムコア等からなるコア材２ｄが内装されている。そして正面パネル２は、現場の設計寸法に基づき工場で左右方向一端側を切断（切断線Ｃ）した後、本実施の形態では、Ｔ字パネル５については左右エッジ材８をビス９を介して固定したものを現場に出荷することになる。そしてこの場合、縦材２ａのない側は、横材２ｂ位置においてビス９を螺入してエッジ材８を固定することになり、これによって縦材２ａがない切断側においてもエッジ材８の確実な固定ができるようになっている。また、端パネル６、コーナーパネル７については、縦材２ａがある側が吊元側となって強度が要求される側となるので、エッジ材８ａをビス９を介して固定するが、切断されて縦材２ａがない側は、現場にてエッジ材に相当する後述の連結レール１１に固定されるため、何もない状態で現場に搬送されることになるが、Ｔ字パネル５のように左右両端が壁Ｗに取付けられずエッジ材が左右に必要である場合には工場にて左右のエッジ材を固定した後、現場に出荷することになる。
尚、本実施の形態では、上下の横材２ｂの上下にさらに既成の上横材２ｅ、下横材２ｆが設けられたものになっているが、これらが一体になったものとしてもよいことは勿論である。因みに後述する奥行パネル４も同様の構成になっている。
【００１０】
そして本実施の形態のトイレブース１においては、ドアパネル３は、端パネル６、コーナーパネル７側が吊元側、Ｔ字パネル５側が戸先側になる構成になっており、このため、端パネル６、コーナーパネル７は、ヒンジ１０が取付けられる側、つまり強度が必要な側が縦材２ａを残した側となり、このような強度が必要ない側が縦材２ａのない側となるよう配された状態で現場組立てされる。そして端パネル６については、縦材２ａのない側が壁Ｗおよび壁Ｗ内の下地材１３にビス９を介して固定される連結レール（本発明の「エッジ材」に相当する。）１１に対しビス９を介して横材２ｂに固定されることで補強され、コーナーパネル７については、縦材２ａのないコーナー側が、後述する奥行パネル４にビス９を介して固定されるコーナーレール（本発明の「エッジ材」に相当する。）１２に嵌合組込みされる。
またＴ字パネル５については、左右両端縁が戸先側になっていて吊元側のような強度が必要とされないため、左右の向きはどちらでもよいが、左右何れか一方が吊元側となる場合には、該吊元側となる側が縦材２ａの有る側となるように配して組立てる。
【００１１】
これに対し、奥行パネル４については、壁Ｗの表面は、施工の精度もあって完全に垂直平面ではないことが前提とされ、このため現場で測定した実寸に基づいて工場で製造された規定寸法（例えば６００、９００ｍｍ）の奥行パネル４を、現場において測定した設計寸法に合わせて左右方向一端部を現場にて切断（切断線Ｃ）したものを用いて組立てることになる。この場合、奥行パネル４も、正面パネル２と同様、縦材４ａ、横材４ｂ、面板４ｃ、コア材４ｄを用いて形成されるが、前記現場切断された奥行パネル４は、Ｔ字パネル５については左右方向中間部（この部分は縦材２ａがない）に連結レール１１を介して突き当て状に連結され、コーナーパネル７については縦材２ａのない側の端部にコーナーレール（本発明の「エッジ材」に相当する。）１２を介して突き当て状に連結されるが、この場合に奥行パネル４のＴ字パネル５、コーナーパネル７に対する連結部位は何れも縦材２ａのない部位であるから強度的に弱く、そこで奥行パネル４については、縦材４ａがあることで強度的に強い側を突き当て状に連結することでトイレブース１の強度アップを図るように配慮している。尚、奥行パネル４については、ペーハーホルダ（図示せず）取付け位置に対応して横材４ｂがさらに設けられている。
そして奥行パネル４は、縦材４ａがない側の端部は、壁Ｗおよび壁Ｗ内に設けた下地材１３にビス固定される連結レール１１にビス９を介して横材４ｂに固定されることで強度アップが図れるようになっている。
因みに奥行パネル４について、一枚でトイレブース１を仕切ることができる場合には前述した構成（図３参照）になるが、複数枚で仕切る場合には中間連結レール１４を介して、奥行パネル４の縦材４ａがある部位と縦材４ａのない部位とを一連状に連結するようにして強度維持を図っている（図４参照）。
【００１２】
叙述の如く構成された本実施の形態において、トイレブース１を組立てるにあたり、現場での左右幅の設計寸法が、工場製造された正面パネル２、奥行パネル４の規定寸法と合わない場合、正面パネル２については工場において設計寸法に合わせて切断し、ビス９にてエッジ材８、８ａを固定したものを現場に搬入し、奥行パネル４については、工場製造されたものを現場に搬入して設計寸法に合わせて切断したものを用いてそれぞれ組立てることになる。
【００１３】
この場合に、正面パネル２のうち、端パネル６、コーナーパネル７については、縦材２ａがある側を強度が必要な吊元側とし、縦材２ａがない側を壁Ｗやコーナー側に位置するようにし、奥行パネル４については、Ｔ字パネル５やコーナーパネル７に連結される側を強度のある縦材４ａが設けられた側として強度維持を図り、壁Ｗに連結されて強度維持される側を縦材４ａのない側としている。この結果、トイレブース１を構成するための正面パネル２、奥行パネル４は、規定寸法で予め工場製造したものを用いて、強度維持を図りながら規定寸法外のトイレブース１を組立てられることになり、規定寸法外の設計寸法のパネルをいちいち製造する必要がなく、製造効率が向上することになる。
【００１４】
しかもこのものでは、正面パネル２にエッジ材８、８ａを取付ける場合に、切断することで縦材２ａがない側のエッジ材８は、横材２ｂ位置でビス９を介して固定できるため、確りとした取付けができることになる。
【００１５】
尚、切断された側のパネルが、トイレブースの正面パネル２、奥行パネル４として使用可能（必要において再度切断することも含めて）であれば、処分することなくこれを使用してトイレブース１を組立てることもできる。
【産業上の利用可能性】
【００１６】
本発明は、学校や駅、病院等の建造物に建て付けられるトイレブースに利用することができる。
【符号の説明】
【００１７】
１  トイレブース
２  正面パネル
２ａ  縦材
２ｂ  横材
３  ドアパネル
４  奥行パネル
４ａ  縦材
４ｂ  横材
５  Ｔ字パネル
６  端パネル
７  コーナーパネル
８  エッジ材
９  ビス
１０  ヒンジ
１１  連結レール
１２  コーナーレール
Ｃ  切断線
Ｗ  壁
【図１】
2018003389.tif 000003
【図２】
2018003389.tif 000004
【図３】
2018003389.tif 000005
【図４】
2018003389.tif 000006
【図５】
2018003389.tif 000007
【図６】
2018003389.tif 000008
【図７】
2018003389.tif 000009